(57)【要約】【課題】  従来の粘着テープは粘着効果が低下するたびに、その度粘着テープを切り取らねばならず煩わしさが伴い、かつ不衛生的であった。【解決手段】グリップ付き管支持軸の先端部支持軸に外側側面に歯車を設けられていつロール管に粘着テープを装着し先端部を後部ロール管に装着される巻取り管に付着させる。後部ロール管の内側側面には回転手段として同時に装着される駆動部内側側面に前進回転一方方向（後進時は空転）スリップ容認可能に設けられるスプリングと作用する回転ピンと、中央部に後進時、支持軸に設けられる半球状の凸部との作用により過剰回転（空転）防止用スプリングを設けられている。そして歯車又はベルトを介して前後往復回転時、先端部ロール管の粘着テープ操出速度（量）に対応して、粘着テープが弛むことなくピンと張った状態で、粘着作用が低下した粘着テープを後部巻取り管に自動的に巻取ることが出来る粘着テープ巻取り装置を提供するものである。【選択図】  図１
2006305276.tif 000002
【特許請求の範囲】
【請求項１】
支持軸の先端部支持軸に粘着テープ装着するロール管と、後部支持軸に取り管を装着するロール管と回転手段として駆動部を同時に装着する，さらに先端部ロール管と後部ロール管を前後往復回転させる歯車又はベルトを設け、粘着テープの操出速度（量）に対応して、巻取り管に自動的に巻取るよう構成されたことを特徴とする粘着テープ巻取り装置。
【請求項２】
先端部ロール管外側側面に歯車を設けたことを特徴とする請求項１記載の粘着テープ巻取り装置。
【請求項３】
後部ロール管内側側面に回転ピンとスプリングを設けたことを特徴とする請求項１又は２記載の粘着テープ巻取り装置。
【請求項４】
後部支持軸にロール管の回転手段としての駆動部を同時に装着して設けたことを特徴とする請求項１，２，又は３記載の粘着テープ巻取り装置。
【請求項５】
駆動部に歯車とスプリングを設けたことを特徴とする請求項１，２，３又は４記載の粘着テープ巻取り装置。
【請求項６】
支持軸に凸部１７ａを設けたことを特徴とする請求項１，２，３，４，５又は６記載の粘着テープ巻取り装置。
【発明の詳細な説明】
【技術分野】
【０００１】  本発明は、粘着面をジュータン等に押接してチリやゴミ等を付着させ、粘着テープを切ることなく連続して使用できる粘着テープ巻取り装置に関する。
【背景技術】
【０００２】  従来のロール管に装着して前後往復回転させながら用いられる掃除用の粘着テープの場合は、粘着効果が低下する度に毎回切り取ることは大変面倒なことであった。またさらに粘着テープを直線的に切ることは大変難しく、末使用部分まて切り取る場合等もあり不経済であった。
【発明の開示】
【発明が解決しようとする課題】
【０００３】  上記に述べたように従来のロール管に装着して使用される粘着テープの場合は，粘着効果が低下する度ごとに、直線的に切り取ることは大変難しく未使用面まで切り取る場合等があり無駄が生じるという問題点があった。【０００４】  特に粘着テープに髪の毛や糸くずが付着している場合、直線的に切り取ることは大変困難であると共に、またどのようなゴミが付着しているか判らず毎回触って切り取らなければならず煩わしく，不衛生的であるという問題点もあった。
【課題を解決する手段】
【０００５】  先端部ロール管に装着される粘着テープを完全に使い切るために、歯車の直径は最大でも粘着テープ心管外径直径内に設けられている、また使用開始時より粘着テープが弛むことなく常にピンと張った状態を保ちながら前後往復回転させるために、先端部ロール管より繰出速度（量）と後部ロール管の巻取り速度（量）は同等か、それ以上の反力値（巻取り量）が必要である。そのため、歯車（中間部）又はベルトを介して前後往復回転させる先端部歯車及び後部駆動部歯車、さらにロール管及び巻取り管の直径を考慮することにより問題は解決されている。
【０００６】  先端部ロール管外側側面に歯車を設けられている、また後部ロール管の内側側面に先進回転防止用と後進回転空転可能なガイドの間のピンホールに回転ピンと、中央部セット部に下記（０００８）に記載されている半球状凸部との作用により後進時の過剰回転（空転）防止用のスプリングを設けられている、さらに先進回転時、回転ピンと作用し，スリップを容認し、繰出速度（量）の粘着テープ（量）を巻取り管に巻取るためのロール管の回転手段として同時に装着される駆動部外側側面に，歯車と内側側面のセット部にスプリングを設けられている。
【０００７】また自在回転できるよう装着される先端部及び後部支持軸、また前後往復回転手段として中間部に歯車を用いる場合の支持軸にも半球状凸部を設けられている。
【０００８】先端部及び中間部に設けられる支持軸の半球状凸部の作用は、前後往復回転時の抵抗（摩擦）減らして円滑回転を得られるためであり、また後部支持軸の場合は、さらにロール管内側中央部のスプリングとの作用により，後進回転時の過剰回転（空転）を防止するために設けられている。
【０００９】上記はのように構成される粘着テープ巻取り管装置の作用は、先端部ロール管に装着された粘着テープの先端部を後部ロール管に装着される巻取り管に折り返して付着されるか、また粘着テープ等で付着される。そしてグリップを持って先端部粘着テープの粘着面を床面に接押して前後往復回転さたとき、使用開始時より粘着テープが弛まず常にピンと張った状態を保持するためには、前進回転時ロール管より繰出速度（量）と後部巻取り管の巻取り速度（量）は同等かそれ以上の反力値（巻取り量）を維持する手段として、巻取り管を装着される後部ロール管内側側面円周状に設けられている回転ピンは、駆動部内側側面のスリップ（空転）容認可能なスプリングと，前進回転の一方方向だけ作用し後進時は空転するように設けられている。また後進時の回転は先端部ロール管の回転力だけで回転するため，使用の仕方によっては過剰回転（空転）し、粘着テープをピンと張った状態を保持できなる場合等を考慮する必要がある。その解決手段として支持軸に設けられている半球状の凸部との作用（抵抗．摩擦）により過剰回転（空転）を防止できるようさらにロール管内側中央部セット部にスリップ容認可能なスプリングを設けることにより、前後往復回転時でも粘着テープは常に弛むことなくピンと張った状態を保持しながら、後部ロール管に粘着効果が低下した粘着テープを自動的に巻取れるように設けることにより問題点を解決している。
【発明の効果】
【００１０】上述したように本発明の粘着テープ巻取り装置は、粘着テープ面をジュータンヤカーペット等に押接して前後往復回転させることにより髪の毛や糸くず，ダニ等その他のゴミを付着させて掃除することができる。また粘着効果が低下した場合でも従来のように、その度ごとに切り取る必要はなく、粘着効果が低下したテープ部分を巻取り管に自動的に巻取りながら粘着テープを無駄なく使用して掃除することができ、かつ、煩わしさから開放され衛生的である。また簡単な構造であるため部品点数も極めて少なく、使用中の故障も発生しにくい。さらに製造コストも安価であり大変経済的な粘着テープ巻取り装置である。
【発明を実施するための最良の形態】
【００１１】以下、本発明の実施の形態を図１から図９に基づいて説明する。【００１２】図１においては，本発明の粘着テープ巻取り装置の１実施例を示す縦断正面図である。棒状に設けられた支持軸１の中間部位又は端部位に突設したグリップ１６と、半球状の凸部を設けられた支持軸１ａ，１ｂ，１ｃ（１ｃは図解されていない）の一方方向に平行に突出して３本を設けられている。先端部支持軸１ａには，粘着テープ７を装着されるロール管２の外側側面に歯車３と粘着テープ７を装着したとき外れたりしないためのガイド１２ｂを設けられている、そして管支持軸１ａに設けられているネジ穴１３にネジ蓋１４で取り外し出来るよう止められている。また巻取り管８を装着されるロール管２ａの回転手段として同時に装着される駆動部外側側面に歯車３ａと，内側側面セット部にスプリング６を設けられている。またロール管２ａ内側側面には図８に示されている通り，駆動部４のスプリング６と前進回転時の一方方向だけに作用する回転ぴん９と、中央部セット部５ａに後進回転時半球状の凸部１１ａとの作用によりスリップ（抵抗．摩擦）を容認しながら過剰回転（空転）防止することが出来るスプリング６ａを設けられている。そして支持軸１ｂにロール管２ａと駆動部を自在回転できるよ同時に装着され取り外し出来るようネジ穴１３ａにネジ蓋１４ａで止められている。また先端部ロール管２ａに設けられている歯車３と後部駆動部４の歯車３ａとの間に設けられ前後往復回転させる歯車３ｄは、中間に設けられる支持軸１ｃに自在回転出来るよう装着され脱落しないよう止められている。【００１３】  図２は、同上装置，図１のＡ−Ａ方向を示す側面図である。半球状の凸部１１を設けられた支持軸１ａに回転及び脱着できるよう装着される、先端部ロール管２外側側面に設けられている歯車３の直径は，粘着テープを完全に使い切るために、粘着テープ７ｂの芯管内径直径内に設けられている。また巻取り管を装着される後部ロール管と回転手段としての駆動部４を回転及び脱着できるよう半球状の凸部１１ａを設けられている支持軸１ｂに同時に装着されている、さらに駆動部４外側側面に歯車３ａを設けられている。先端部ロール管２外側側面に設けられている歯車３と，駆動部４の歯車３ａを、半球状の凸部１１ｂを設けられている支持軸１ｃに装着される歯車３ｂを介して，前後往復回転できるよう設けられている。また前後往復回転時弛むことなく常にピンと張った状態を示している粘着テープ７ａである。【００１４】  図３は、同上装置，先端部ロール管の主要部を示す拡大図である。支持軸１の半球状の凸部１１を設けられている先端部支持軸１ａに粘着テープ７を装着されるロール管２の外側側面に歯車３を設けられている．そして回転及び脱着できるよう装着されている【００１５】  図４は、同上装置，後部ロール管の回転手段の駆動部を示す縦断正面拡大図である。後部ロール管２ａに巻取り管脱落防止のガイド１２ｃと内側側面に図５に示されている回転ピン防止用ガイド１２と回転可能なガイド１２ａとの間のピンホール１０に，図６に示されているよう回転ピン９と，中央部セット部５ａにスプリング６ａを設けられている。またロール管２ａの回転手段としての駆動部４外側側面に歯車３ａと，内側側面セット部５にスプリング６を設けられている、そして支持軸１の半球状の凸部１１ａとネジ穴１３ａを設けられている支持軸１ｂに，駆動部４とロール管２ａを回転できるよう装着され脱着できるようネジ蓋１４ａで止められている。作用は、先端部粘着テープを床面に接押して，前後往復回転時の，前進回転時に、巻取り管を装着されているロール管２ａに掛かる反力値（巻取り量）を図８に示されている回転ピン９と，駆動部４内側側面セット部５に設けられているスプリング６（スリップ容認可能）との作用により可能にしている。さらに後進回転時にはスプリング６は空転するため、後部ロール管２ａは，先端部ロール管の回転力だけで回転、そのため、使用の仕方により過剰回転（空転）する場合を考慮する必要がある。その防止する手段として、ロール管２ａの内側中央部セット部に設けられているスプリング６ａと支持軸に設けられている半球状の凸部１１ａとの作用により可能にしている。【００１６】  図５は、同上装置、図４のＢ−Ｂ方向を示すロール管の側面図である。半球状の凸部１１ａを設けられている支持軸１ｂに回転及び脱着出来るよう装着されているロール管２ａ内側側面に、回転防止用ガイド１２と空転可能なガイド１２ａと間に図６に示される回転ピン９を設けるためのピンホール１０と、中央部セット部５ａに凸部１１ａとの作用により後進時の過剰回転（空転）防止するためのスプリング６ａを設けられている。【００１７】  図６は，同上装置，図４のＣ−Ｃ方向を示すロール管の側面図である。半球状の凸部１１ａを設けられている支持軸１ｂに、回転出来るよう装着されるロール管２ａ内側側面の回転ピンの回転防止用ガイド１２と回転可能なガイド１２ａとの間の，図５に示されているピンホール１０に回転ピン９を設けられている。さらに中央部セット部５ａには半球状の凸部１１ａとの作用により後進時の過剰回転（空転）防止するためのスプリング６ａを設けられている。【００１８】  図７は、同上装置，図４のＤ−Ｄ方向を示す駆動部の側面図である。半球状の凸部１１ａを設けられている支持軸１ｂに回転できるよう後部ロール管２ａと同時に装着される回転手段としての駆動部４内側側面セット部５にスプリング６を設けられている。【００１９】  図８は、同上装置、図４のＣ−Ｃ方向の駆動部側面断面とロール管の内側を示す側面図である。図４に示されているロール管２ａと，回転手段としての駆動部４を同時に支持軸１１ｂに装着されたときの、図６のロール管２ａ内側側面と図７の駆動部４内側側面との状態を示されている図である。半球状の凸部１１ａを設けられている後部支持軸１ｂに装着されるロール管２ａ内側側面に、円周状に設けられている回転防止用ガイド１２と空転可能なガイド１２ａとの間のピンホールに回転ピン９を設けられている。さらに中央部セット部５ａに半球状の凸部１１ａとの作用により後進時の過剰回転（空転）を防止出来るようスプリング６ａを設けられている。また駆動部４内側側面のセット部５にスプリング６を設けられている。その作用は、粘着テープを床面に接押し前後往復回転させた常に粘着テープが弛むことなくピンと張った状態を保つ巣段として、前進回転時は回転ピン９と���動部４内側側面セット部５に設けられているスプリング６（スリップ容認）との作用により可能となり、後進回転時は支持軸の半球状の凸部１１ｂと内側中央部セット部５ａに設けられているスプリング６ａとの作用により過剰回転（空転）を防止することにより可能にしている。【００２０】  図９は、本発明の図１Ａ−Ａ方向の第２実施例ベルトを用いた側面図である。半球状の凸部１１を設けられている先端部支持軸１ａに粘着テープ７を装着して，回転出来るよう装着される先端部ロール管２外側側面に粘着テープ７芯管内径内直径内に歯車３を設けられている。また同様に半球状の凸部１１ａを設けられている後部支持軸１ｂに後部ロール管２ａの回転手段としての駆動部４外側側面にも歯車３ａを設けられている、そしてベルト１５を介して前後往復回転できるよう設けられている。また前後往復回転時弛むことなく常にピンと張った状態を示している粘着テープ７ａである。【００２２】  上記図１から図９に述べられている粘着テープ巻取り装置の場合は、先端部ロール管と後部ロール管は同一方向に回転する、また正逆回転させる手段として歯車を用いる場合は中間に２個用いればよく、ベルトの場合は８の字（タスキ賭け）に設ければよい、さらに回転ピン用のガイドの位置を逆に設けることにより可能となる。【００２３】  また、駆動部及びロール管に設けられるスプリングのサイズや形状及び数も適宜に設ければ良く限定するものではない。さらに、回転ピンの数は使用する場合どのような角度で使用した場合でも常に，駆動部に設けられているスプリングとの作用効果が可能な適宜の数設けられていれば良く限定するものではない。さらに、巻取り管は後部ロール管のサイズに合わせて適宜に設ければよい。
【図面の簡単な説明】
【００２４】
【図１】  本発明の粘着テープ巻取り装置の１実施例を示す縦断正面図である。
【図２】  同上装置図１のＡ−Ａ方向を示す側面図である。
【図３】  同上装置先端部ロール管の主要部を示す拡大図である。
【図４】  同上装置後部ロール管の回転手段の駆動部を示す縦断正面拡大図である。
【図５】  同上装置図４のＢ−Ｂ方向のピンホールを示す側面図である。
【図６】  同上装置図４のＣ−Ｃ方向の回転ピンを示す側面図である。
【図７】  同上装置図４のＤ−Ｄ方向駆動部を示す側面図である。
【図８】  同上装置図４のＣ−Ｃ方向を示す図６と図７の装着図である。
【図９】  本発明の図１Ａ−Ａ方向の第２実施例ベルトを用いた側面図である。
【符号の説明】
【００２６】１，１ａ，１ｂ，１ｃ：          支持軸
２，２ａ：                      ロール管
３，３ａ，３ｂ：                歯
４：                            駆動部
５，５ａ：                      セット部
６，６ａ：                      スプリング
７，７ａ，７ｂ：                粘着テープ
８：                            巻取り管
９：                            回転ピン
１０：                          ピンホール
１１．１１ａ，１１ｂ：          凸部
１２，１２ａ，１２ｂ，１２ｃ：  ガイド
１３，１３ａ：                  ネジ穴
１４，１４ａ：                  ネジ蓋
１５：                          ベルト
１６：                          グリップ
Ａ−Ａ，Ｂ−Ｂ，Ｃ−Ｃ，Ｄ−Ｄ：方向
【図１】
2006305276.tif 000003
【図２】
2006305276.tif 000004
【図３】
2006305276.tif 000005
【図４】
2006305276.tif 000006
【図５】
2006305276.tif 000007
【図６】
2006305276.tif 000008
【図７】
2006305276.tif 000009
【図８】
2006305276.tif 000010
【図９】
2006305276.tif 000011